【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
ユーザー通信デバイスと複数のコンポーネントキャリアを用いて通信可能なターゲット通信デバイスによって実行される方法であって、
ソース通信デバイスから、前記ユーザー通信デバイスが該ソース通信デバイスからハンドオーバーされることの通知を受信すること、
前記ユーザー通信デバイスの通信のために、前記複数のコンポーネントキャリアの一つまたは複数を識別するための第一の情報と、前記複数のコンポーネントキャリアのうちのいずれが初期アクセスに用いられることになるかを示す第二の情報とをトランスペアレントコンテナーにおいて送信すること、
前記第一の情報は、前記ユーザー通信デバイスに通信するために、前記ソース通信デバイスから受信した前記通知に応答して、ハンドオーバー要求肯定応答メッセージにおいて前記ソース通信デバイスに提供されること、
を含む、ターゲット通信デバイスによって実行される方法。
【請求項２】
ユーザー通信デバイスと複数のコンポーネントキャリアを用いて通信可能なソース通信デバイスによって実行される方法であって、
ターゲット通信デバイスに、前記ユーザー通信デバイスが該ターゲット通信デバイスにハンドオーバーされることの通知を送信することと、
前記ターゲット通信デバイスから、前記ユーザー通信デバイスの通信のために、前記複数のコンポーネントキャリアの一つまたは複数を識別するための第一の情報と、前記複数のコンポーネントキャリアのうちのいずれが初期アクセスに用いられることになるかを示す第二の情報とをトランスペアレントコンテナーにおいて受信すること、
前記ユーザー通信デバイスへ、前記第一の情報と前記第二の情報を含む無線リソース制御（ＲＲＣ）接続再構成メッセージを送信することとを含み、
前記第一の情報は、前記ユーザー通信デバイスに通信するために、該ソース通信デバイスから受信した前記通知に応答して、ハンドオーバー要求肯定応答メッセージにおいて該ソース通信デバイスに提供される、ソース通信デバイスによって実行される方法。
【請求項３】
ソース通信デバイスまたはターゲット通信デバイスの少なくとも一つと複数のコンポーネントキャリアを用いて通信可能なユーザー通信デバイスによって実行される方法であって、
前記ソース通信デバイスから、前記複数のコンポーネントキャリアの一つまたは複数を識別するための第一の情報と、前記複数のコンポーネントキャリアのうちのいずれが初期アクセスに用いられることになるかを示す第二の情報とを含む無線リソース制御（ＲＲＣ）接続再構成メッセージを受信することと、
前記第二の情報に基づいて、前記ターゲット通信デバイスとの初期アクセスを開始することと、
を含む、ユーザー通信デバイスによって実行される方法。
【請求項４】
ユーザー通信デバイスと複数のコンポーネントキャリアを用いて通信可能なターゲット通信デバイスであって、
ソース通信デバイスから、前記ユーザー通信デバイスが該ソース通信デバイスからハンドオーバーされることの通知を受信する受信回路と、
前記ユーザー通信デバイスの通信のために、前記複数のコンポーネントキャリアの一つまたは複数を識別するための第一の情報と、前記複数のコンポーネントキャリアのうちのいずれが初期アクセスに用いられることになるかを示す第二の情報とをトランスペアレントコンテナーにおいて送信する送信回路と、
を備え、
前記第一の情報は、前記ユーザー通信デバイスに通信するために、前記ソース通信デバイスから受信した前記通知に応答して、ハンドオーバー要求肯定応答メッセージにおいて前記ソース通信デバイスに提供される、ターゲット通信デバイス。
【請求項５】
ユーザー通信デバイスと複数のコンポーネントキャリアを用いて通信可能なソース通信デバイスであって、
ターゲット通信デバイスに、前記ユーザー通信デバイスが該ターゲット通信デバイスにハンドオーバーされることの通知を送信する送信回路と、
前記ターゲット通信デバイスから、前記ユーザー通信デバイスの通信のために、前記複数のコンポーネントキャリアの一つまたは複数を識別するための第一の情報と、前記複数のコンポーネントキャリアのうちのいずれが初期アクセスに用いられることになるかを示す第二の情報とをトランスペアレントコンテナーにおいて受信する受信回路と、を含み、
前記送信回路は更に、前記ユーザー通信デバイスへ、前記第一の情報と前記第二の情報を含む無線リソース制御（ＲＲＣ）接続再構成メッセージを送信し、
前記第一の情報は、前記ユーザー通信デバイスに通信するために、該ソース通信デバイスから受信した前記通知に応答して、ハンドオーバー要求肯定応答メッセージにおいて該ソース通信デバイスに提供される、ソース通信デバイス。
【請求項６】
ソース通信デバイスまたはターゲット通信デバイスの少なくとも一つと複数のコンポーネントキャリアを用いて通信可能なユーザー通信デバイスであって、
前記ソース通信デバイスから、前記複数のコンポーネントキャリアの一つまたは複数を識別するための第一の情報と、前記複数のコンポーネントキャリアのうちのいずれが初期アクセスに用いられることになるかを示す第二の情報とを含む無線リソース制御（ＲＲＣ）接続再構成メッセージを受信する受信回路と、
前記第二の情報に基づいて、前記ターゲット通信デバイスとの初期アクセスを開始する通信制御モジュールと、
を含む、ユーザー通信デバイス。
【請求項７】
ユーザー通信デバイスと複数のコンポーネントキャリアを用いて通信可能なターゲット通信デバイスを構成するコンピューターに、
ソース通信デバイスから、前記ユーザー通信デバイスが該ソース通信デバイスからハンドオーバーされることの通知を受信する処理と、
前記ユーザー通信デバイスの通信のために、前記複数のコンポーネントキャリアの一つまたは複数を識別するための第一の情報と、前記複数のコンポーネントキャリアのうちのいずれが初期アクセスに用いられることになるかを示す第二の情報とをトランスペアレントコンテナーにおいて送信する処理と、を実行させるプログラムであって、
前記第一の情報は、前記ユーザー通信デバイスに通信するために、前記ソース通信デバイスから受信した前記通知に応答して、ハンドオーバー要求肯定応答メッセージにおいて前記ソース通信デバイスに提供される、プログラム。
【請求項８】
ユーザー通信デバイスと複数のコンポーネントキャリアを用いて通信可能なソース通信デバイスを構成するコンピューターに、
ターゲット通信デバイスに、前記ユーザー通信デバイスが該ターゲット通信デバイスにハンドオーバーされることの通知を送信する処理と、
前記ターゲット通信デバイスから、前記ユーザー通信デバイスの通信のために、前記複数のコンポーネントキャリアの一つまたは複数を識別するための第一の情報と、前記複数のコンポーネントキャリアのうちのいずれが初期アクセスに用いられることになるかを示す第二の情報とをトランスペアレントコンテナーにおいて受信する処理と、
前記ユーザー通信デバイスへ、前記第一の情報と前記第二の情報を含む無線リソース制御（ＲＲＣ）接続再構成メッセージを送信する処理とを実行させるプログラムであって、
前記第一の情報は、前記ユーザー通信デバイスに通信するために、該ソース通信デバイスから受信した前記通知に応答して、ハンドオーバー要求肯定応答メッセージにおいて該ソース通信デバイスに提供される、プログラム。
【請求項９】
ソース通信デバイスまたはターゲット通信デバイスの少なくとも一つと複数のコンポーネントキャリアを用いて通信可能なユーザー通信デバイスを構成するコンピューターに、
前記ソース通信デバイスから、前記複数のコンポーネントキャリアの一つまたは複数を識別するための第一の情報と、前記複数のコンポーネントキャリアのうちのいずれが初期アクセスに用いられることになるかを示す第二の情報とを含む無線リソース制御（ＲＲＣ）接続再構成メッセージを受信する処理と、
前記第二の情報に基づいて、前記ターゲット通信デバイスとの初期アクセスを開始する処理とを実行させるプログラム。